(57)【要約】【課題】従来製品に比べて製造工数が少なく、デザイン的に不恰好にならず、部屋の壁から離して設置された場合でも倒れにくい電子楽器のスタンドを提供すること。【解決手段】滑り止め部材１８，１９の案内溝１８ｃ，１９ｃを貫通させたビス２０を、側板１４の取付孔１４ｄ，１４ｅに取り付けることにより、滑り止め部材１８，１９を電子楽器１の前後方向に移動可能に構成した。この場合、滑り止め部材１８を電子楽器１の前方（演奏者側）へ突出させることによって電子楽器１の前方へは電子楽器１を転倒しにくくすることができ、一方、滑り止め部材１９を電子楽器１の後方（演奏者側とは反対側）へ突出させることによって電子楽器１の後方へは電子楽器１を転倒しにくくすることができる。【選択図】図２
2006184300.tif 000002
【特許請求の範囲】
【請求項１】
鍵盤を有する電子楽器の両端付近それぞれを下方から支持可能な一対の側板と、
前記側板と前記電子楽器が設置される床面との間に少なくともその一部が配置されることによって前記側板が前記床面上を滑るのを防止する接触面を有する滑り止め部材と、
を備えた電子楽器のスタンドであって、
前記滑り止め部材は、前記電子楽器が転倒するおそれがある方向へ前記接触面の一部が前記側板から突出するよう位置することで前記電子楽器を転倒しにくくする突出位置と前記側板の下に位置する前記接触面の部分が前記突出位置に位置する場合よりも多い収納位置との間を移動可能に構成されていること
を特徴とする電子楽器のスタンド。
【請求項２】
請求項１に記載の電子楽器のスタンドにおいて、
前記電子楽器が転倒するおそれがある方向とは、前記電子楽器における中央から前記鍵盤が配置されている側へ向かう方向であること
を特徴とする電子楽器のスタンド。
【請求項３】
請求項１または請求項２に記載の電子楽器のスタンドにおいて、
前記側板には、ビスを取り付け可能な取付孔が形成されており、
前記滑り止め部材には、前記滑り止め部材が前記突出位置と前記収納位置との間に位置する際に前記取付孔と連通する貫通孔が形成され、前記貫通孔を貫通させた前記ビスを前記取付孔に取り付けることにより、前記突出位置と前記収納位置との間を移動可能に構成されていること
を特徴とする電子楽器のスタンド。
【請求項４】
請求項３に記載の電子楽器のスタンドにおいて、
前記取付孔は、前記側板の下面からその内部に向けて形成されていることを特徴とする電子楽器のスタンド。
【請求項５】
請求項３に記載の電子楽器のスタンドにおいて、
前記取付孔は、前記側板の側面からその内部に向けて形成されていることを特徴とする電子楽器のスタンド。
【発明の詳細な説明】
【技術分野】
【０００１】
本発明は、従来製品に比べて製造工数が少なく、デザイン的に不恰好にならず、部屋の壁から離して設置された場合でも倒れにくい電子楽器のスタンドに関する。
【背景技術】
【０００２】
従来より、鍵盤を有する電子楽器の両端付近それぞれを下方から支持可能な一対の側板と、これら一対の側板を連結する背板と、を備える電子楽器のスタンドが知られている。なお、電子楽器の中にはその重量が約６０ｋｇと重いものもあり、電子楽器のスタンドの上に設置された電子楽器が子供などにもたれかかられて転倒するおそれがある。
【０００３】
そこで、このような電子楽器のスタンドの中には、子供などにもたれかかられて転倒するのを防止するため、一対の側板の下部におけるスタンドの前後方向にそれぞれ形成された一対の案内溝と、各案内溝の内部を移動可能な棒状の転倒防止部材とを備え、電子楽器および電子楽器のスタンドを設置する際に、転倒防止部材を電子楽器の前後方向に側板から突出させることにより電子楽器を転倒しにくくすることができるものがある（例えば、特許文献１参照。）。
【特許文献１】特開２００３−２８０６３３号公報（第２頁、図１）
【発明の開示】
【発明が解決しようとする課題】
【０００４】
しかし、上述のような電子楽器のスタンドにおいては、各側板が案内溝および転倒防止部材を備えるため、その分製造工数が多くなるという問題があった。
また、上述のような電子楽器のスタンドにおいては、転倒防止部材を側板から突出させる場合に側板がその突出した転倒防止部材を支持する必要があるために側板や転倒防止部材を大型化する必要があり、これら大型化した側板や転倒防止部材がかさばるとともにデザイン的にも不恰好になるという問題があった。
【０００５】
なお、例えば保育園や幼稚園などの広い部屋において電子楽器を壁から離して設置する場合には、電子楽器が子供などにもたれかかられて転倒するおそれがあるため、仮に製造工数が増大したりデザイン的に不恰好となったりしても上述のような電子楽器の転倒防止機能が必要であるが、例えば一般家庭などで電子楽器を壁に沿って設置する場合には上述のような電子楽器の転倒防止機構は不要なものであった。
【０００６】
本発明は、このような不具合に鑑みなされたものであり、その目的とするところは、従来製品に比べて製造工数が少なく、デザイン的に不恰好にならず、部屋の壁から離して設置された場合でも倒れにくい電子楽器のスタンドを提供することにある。
【課題を解決するための手段】
【０００７】
上記課題を解決するためになされた請求項１に係る電子楽器のスタンドは、鍵盤（１ａ：この欄においては、発明に対する理解を容易にするため、必要に応じて「発明を実施するための最良の形態」欄で用いた符号を付すが、この符号によって請求の範囲を限定することを意味するものではない。）を有する電子楽器（１）の両端付近それぞれを下方から支持可能な一対の側板（１４，１４）と、側板と電子楽器が設置される床面（１０００）との間に少なくともその一部が配置されることによって側板が床面上を滑るのを防止する接触面（１８ａ，１９ａ）を有する滑り止め部材（１８，１９）と、を備えた電子楽器のスタンドであって、滑り止め部材が、図２（ａ）に例示する「突出位置」と図２（ｂ）に例示する「収納位置」との間を移動可能に構成されていることを特徴とする。なお、突出位置とは、電子楽器を転倒しにくくするために電子楽器が転倒するおそれがある方向へ接触面の一部が側板から突出する位置のことを云い、収納位置とは、側板の下に位置する接触面の部分が上述の突出位置に位置する場合よりも多くなる位置のことを云う。
【０００８】
このような本発明によれば、従来から備える滑り止め部材を「突出位置」と「収納位置」との間で移動可能に構成しているので、新たな加工としては例えば滑り止め部材に溝を設けるだけでよい。また、従来構成の電子楽器のスタンドのように、転倒防止部材を側板から突出させる場合に側板がその突出した転倒防止部材を支持する必要があるために側板や転倒防止部材を高硬度または大型化する必要がなく、大型化した側板や転倒防止部材がかさばるとともにデザイン的にも不恰好になるということがない。したがって、従来製品に比べて製造工数が少なく、デザイン的に不恰好にならず、部屋の壁から離して設置された場合でも倒れにくい電子楽器のスタンドを提供することができる。
【０００９】
この場合、上述の「電子楽器が転倒するおそれがある方向」としては、次のような方向が挙げられる。すなわち、（イ）電子楽器が転倒するおそれがある方向とは、電子楽器における中央から鍵盤が配置されている側へ向かう方向（つまり、電子楽器における演奏者側）であることが考えられる（請求項２）。このようにすれば、電子楽器における演奏者側へは電子楽器を転倒しにくくすることができる。（ロ）また、電子楽器が転倒するおそれがある方向とは、電子楽器における中央から鍵盤が配置されている側へ向かう方向とは反対の方向（つまり、電子楽器における後側）であることが考えられる。このようにすれば、例えば電子楽器が壁からは離されて設置されている場合でも、電子楽器における後側へは電子楽器を転倒しにくくすることができる。（ハ）なおその他にも、電子楽器が転倒するおそれがある方向とは、電子楽器における左側や右側であることが考えられる。このようにすれば、電子楽器における左側や右側へは電子楽器を転倒しにくくすることができる。
【００１０】
また、上述の滑り止め部材が「突出位置」と「収納位置」との間を移動可能な構成としては、次のような具体例が考えられる。すなわち、（ニ）滑り止め部材の貫通孔を貫通させたビスで滑り止め部材を側板に取り付けることが考えられる。具体的には、請求項３のように、ビスを取り付け可能な取付孔（１４ｄ）を側板に形成し、滑り止め部材が突出位置と収納位置との間に位置する際に取付孔と連通する貫通孔（１８ｃ，１９ｃ）を滑り止め部材に形成し、その貫通孔を貫通させたビス（２０）を取付孔に取り付けることにより、滑り止め部材が突出位置と収納位置との間を移動可能に構成することが考えられる。このようにすれば、側板の取付孔に取り付けたビスを緩めた場合には滑り止め部材を移動させることができ、側板の取付孔に取り付けたビスを締めた場合には滑り止め部材を移動させにくくなるので、滑り止め部材の位置決めを容易にすることができる。
【００１１】
この場合、上述の取付孔については、（ニ−１）図２に例示するように、側板（１４）の下面（１４ａ）からその内部に向けて形成することが考えられる（請求項４）。このようにすれば、ビスや貫通孔が露出しないので、電子楽器のスタンドの外観がよい。ただし、滑り止め部材の位置を調整する際には当該電子楽器のスタンドを持ち上げてビスを緩めたり締めたりする必要がある。また、上述の取付孔については、（ニー２）図３に例示するように、側板（１１４）の側面（１１４ａ）からその内部に向けて形成することが考えられる（請求項５）。このようにすれば、例えば当該電子楽器のスタンドを持ち上げなくても、ビスを緩めたり締めたりすることができ、滑り止め部材の位置を容易に調整することができる。
【発明を実施するための最良の形態】
【００１２】
以下に本発明の実施形態を図面とともに説明する。
［第一実施形態］
図１は、電子楽器のスタンド（以下、スタンドと称す。）１０を示す斜視図である。また、図２（ａ）は収納位置にある滑り止め部材１８を示す斜視図であり、図２（ｂ）は突出位置にある滑り止め部材１８を示す斜視図であり、図２（ｃ）は側板１４および滑り止め部材１８を示す斜視図であり、図２（ｄ）は滑り止め部材１８のＡＡ断面図である。
【００１３】
なお、この図１では電子楽器１を二点鎖線で図示しており、また、以降、この電子楽器１において、鍵盤１ａが配置されて演奏者が演奏する側（図１で手前側）を「前側」とし、演奏者が演奏する側の反対側（図１では向こう側）を「後側」とし、演奏者側から見た電子楽器１の右側、左側をそれぞれ「右側」、「左側」とする。
【００１４】
［スタンド１０の構成の説明］
スタンド１０は、図１に示すように、板状の背板１２、背板１２の両端付近にそれぞれ連設された一対の板状の側板１４，１４、および側板１４，１４が床面１０００上を滑るのを防止する滑り止め部材１８，１９を備えており、その形状は略コの字状である。
【００１５】
［側板１４の構成の説明］
このうち側板１４，１４は、背板１２に対してビスや木ねじなどによって連結されており、電子楽器１の左右端近傍を下方から支持できる。また、背板１２と側板１４，１４とを分離すれば、例えばこれらを積み重ねるなどスタンド１０をコンパクトにできる。
【００１６】
また、図２に示すように、側板１４の下面１４ａの前部１４ｂには、ビス２０を取り付けるための２つの取付孔１４ｄがその内部に向けて形成されている。また、側板１４の下面１４ａの後部１４ｃには、ビス２０を取り付けるための２つの取付孔１４ｄ（図示省略）がその内部に向けて形成されている。
【００１７】
［滑り止め部材１８，１９の構成の説明］
滑り止め部材１８は、例えばＡＢＳなどの樹脂製であり、略直方体の形状を有している。また、滑り止め部材１８は、各側板１４の下面１４ａにおける前部１４ｂに取り付けられている。なお、滑り止め部材１８を構成するＡＢＳなどの樹脂材料については、強度もあり設置面が柔らかい素材であるため、スタンド１０が設置される床面１０００に傷を付けにくい。
【００１８】
このうち滑り止め部材１８の下面１８ａについては、特許請求の範囲における「接触面」に該当し、滑り止め部材１８が側板１４の下面１４ａの前部１４ｂに取り付けられた際には、側板１４が床面１０００上を滑るのを防止する機能を有する。
【００１９】
また、滑り止め部材１８には、その下面１８ａから上面１８ｂに向けて貫通する長孔状の案内溝１８ｃが形成されている。なお、この案内溝１８ｃは、特許請求の範囲における「貫通孔」に該当する。この案内溝１８ｃは、次のように構成されている。すなわち、案内溝１８ｃは、滑り止め部材１８を側板１４の下面１４ａの前部１４ｂに取り付けた際に、側板１４の下面１４ａの前部１４ｂに形成された２つの取付孔１４ｄに連通するとともに、側板１４の下面１４ａの前部１４ｂに取り付けた状態で電子楽器１を転倒しにくくするために電子楽器１の前方へ移動させた位置（突出位置、図２（ａ）参照）と側板１４の下に位置する下面１８ａの部分が上述の突出位置にある場合よりも多くなる位置（収納位置、図２（ｂ）参照）との間で滑り止め部材１８を移動させた際にも、２つの取付孔１４ｄに連通するよう形成されている。また、案内溝１８ｃにおける下面１８ａ側の開口部１８ｄの幅寸法Ｌ１は、図２(ｄ)に示すように、ビス２０の頭部２０ａの径寸法および軸部２０ｂの径寸法よりも大きくなるよう形成されている。また、案内溝１８ｃにおける上面１８ｂ側の開口部１８ｅの幅寸法Ｌ２は、ビス２０の軸部２０ｂの径寸法よりも大きく、頭部２０ａの径寸法よりも小さくなるよう形成されている。また、案内溝１８ｃにおける下面１８ａ側の開口部１８ｄの深さ寸法Ｌ３は、案内溝１８ｃを貫通させたビス２０の頭部２０ａが滑り止め部材１８の下面１８ａよりも内部に隠れるよう形成されている。したがって、ビス２０を用いて側板１４の下面１４ａに滑り止め部材１８を取り付けた際に、ビス２０の頭部２０ａが床面１０００に当接することがない。
【００２０】
以上のように構成された滑り止め部材１８は、次のように側板１４へ取り付ける。すなわち、図２(ｃ)に示すように、滑り止め部材１８を、その上面１８ｂが側板１４の下面１４ａの前部１４ｂと対向し、且つ案内溝１８ｃの上面１４ｂ側の開口部１８ｅが側板１４の下面１４ａの前部１４ｂの２つの取付孔１４ｄと連通する姿勢とする。この際、滑り止め部材１８の位置は、収納位置（図２（ａ）参照）となるようにする。次に、２つのビス２０を、滑り止め部材１８の案内溝１８ｃを下面１８ａから貫通させ、側板１４の下面１４ａの前部１４ｂの２つの取付孔１４ｄにそれぞれ取り付ける。
【００２１】
なお、滑り止め部材１９については、滑り止め部材１８と同様の構成を有しており、滑り止め部材１８が側板１４の下面１４ａの前部１４ｂに取り付けられているのに対して、滑り止め部材１９は側板１４の下面１４ａの後部１４ｃに取り付けられているという具合に、その構成や側板１４への取り付け方法は滑り止め部材１８に対して前後対照であるので、ここでは詳細な説明は省略する。
【００２２】
［滑り止め部材１８，１９の位置調整手法の説明］
次に、滑り止め部材１８，１９の位置調整について説明する。
滑り止め部材１８の位置を調整するには、まず、側板１４の下面１４ａの前部１４ｂの取付孔１４ｄに取り付けられた２つのビス２０を緩め、滑り止め部材１８が電子楽器１の前後方向へ移動可能な状態とする。ここで、滑り止め部材１８を、電子楽器１の前方へ移動させる。この場合、滑り止め部材１８を、収納位置（図２（ａ）参照）と突出位置（図２（ｂ）参照）との間の任意の位置まで移動させることができる。そして、先に緩めたビス２０を締める。すると、滑り止め部材１８は固定されて電子楽器１の前後方向へは移動しなくなる。
【００２３】
なお、滑り止め部材１９の位置調整手法については、上述のように滑り止め部材１８と同様の構成を有しており、滑り止め部材１８が側板１４の下面１４ａの前部１４ｂに取り付けられているのに対して滑り止め部材１９は側板１４の下面１４ａの後部１４ｃに取り付けられているという具合に、その位置調整時の移動方向は滑り止め部材１８に対して前後対照であるので、ここでは詳細な説明は省略する。
【００２４】
［効果］
このように第一実施形態のスタンド１０によれば、滑り止め部材１８，１９の案内溝１８ｃ，１９ｃを貫通させたビス２０を、側板１４の取付孔１４ｄ，１４ｅに取り付けることにより、滑り止め部材１８，１９を電子楽器１の前後方向に移動可能に構成することにより、従来から備える滑り止め部材１８，１９を「突出位置」と「収納位置」との間で移動可能に構成しているので、新たな加工としては例えば滑り止め部材に溝を設けるだけでよい。また、従来構成の電子楽器のスタンドのように、転倒防止部材を側板から突出させる場合に側板がその突出した転倒防止部材を支持する必要があるために側板や転倒防止部材を高硬度または大型化する必要がなく、大型化した側板や転倒防止部材がかさばるとともにデザイン的にも不恰好になるということがない。この場合、第一実施形態のスタンド１０は、滑り止め部材１８を電子楽器１の前方（演奏者側）へ突出させることによって電子楽器１の前方へは電子楽器１を転倒しにくくすることができ、一方、滑り止め部材１９を電子楽器１の後方（演奏者側とは反対側）へ突出させることによって電子楽器１の後方へは電子楽器１を転倒しにくくすることができる。したがって、従来製品に比べて製造工数が少なく、デザイン的に不恰好にならず、部屋の壁から離して設置された場合でも倒れにくいスタンド１０を提供することができる。
【００２５】
また、第一実施形態のスタンド１０によれば、滑り止め部材１８，１９の案内溝１８ｃ，１９ｃを貫通させたビス２０を、側板１４の下面１４ａの前部１４ｂおよび後部１４ｃそれぞれに形成された取付孔１４ｄに取り付けることにより、滑り止め部材１８，１９を電子楽器１の前後方向に移動可能に構成しているので、ビス２０を緩めた場合には滑り止め部材１８，１９を移動させることができ、一方、ビス２０を締めた場合には滑り止め部材１８，１９を移動させにくくでき、したがって、滑り止め部材１８，１９の位置決めを容易にすることができる。
【００２６】
［他の実施形態］
以上、本発明の一実施形態について説明したが、本発明は上記実施形態に限定されるものではなく、以下のような様々な態様にて実施することが可能である。
【００２７】
（１）上記実施形態の滑り止め部材１８，１９については、例えばＡＢＳなどの樹脂材料を用いた一層構造を有しているが、これには限られず、滑り止め部材１８，１９を、例えば上面側を金属プレートとし、下面側をゴム材料または樹脂材料を用いた複層構造としてもよい。このように構成しても上記実施形態と同様の作用効果を奏する。但し、上記実施形態の滑り止め部材１８，１９のような一層構造に比べて、二層構造の場合には、金属プレートとゴム材料とを張り合わせる必要があり、製造が面倒である。
【００２８】
（２）上記実施形態のスタンド１０では、滑り止め部材１８を電子楽器１の前方（演奏者側）へ突出させることによって電子楽器１の前方へは電子楽器１を転倒しにくくすることができ、一方、滑り止め部材１９を電子楽器１の後方（演奏者側とは反対側）へ突出させることによって電子楽器１の後方へは電子楽器１を転倒しにくくすることができるが、これには限られず、電子楽器１が転倒しやすい方向であれば、その方向に滑り止め部材１８，１９を突出されることが可能に構成してもよい。例えば、電子楽器１がその左右方向に転倒しやすい場合には、滑り止め部材１８，１９を電子楽器１の左右方向に突出されるように構成するのである。このように構成しても上記実施形態と同様の作用効果を奏する。
【００２９】
（３）上記実施形態のスタンド１０では、各側板１４に取り付けられた滑り止め部材１８，１９の双方が移動可能に構成しているが、これには限られず、各側板１４に取り付けられた滑り止め部材１８，１９の一方のみを移動可能に構成してもよい。このように構成しても上記実施形態と同様の作用効果を奏する。
【００３０】
（４）上記実施形態のスタンド１０では、滑り止め部材１８，１９の案内溝１８ｃ，１９ｃを貫通させたビス２０を、側板１４の下面１４ａの取付孔１４ｄに取り付けることにより、滑り止め部材１８，１９を電子楽器１の前後方向に移動可能に構成しているが、これには限られず、図３（ａ）に例示するように、側板１１４の側面１１４ａに滑り止め部材１１８，１１９を電子楽器１の前後方向へ移動可能に取り付けるよう構成してもよい。
【００３１】
具体的には、図３に例示するように、側板１１４の側面１１４ａの前部１１４ｂには、ビス２０を取り付けるための２つの取付孔１１４ｄがその内部に向けて形成されている。また、側板１１４の側面１１４ａの後部１１４ｃには、ビス２０を取り付けるための２つの取付孔１１４ｄ（図示省略）がその内部に向けて形成されている。
【００３２】
一方、滑り止め部材１１８は、例えばＡＢＳなどの樹脂製であり、滑り止め部１１８ａおよび取付部１１８ｂからなる略Ｌ状の形状を有している。このうち、取付部１１８ｂには、滑り止め部材１８の案内溝１８ｃと同様の案内溝１１８ｃが形成されている。
【００３３】
以上のように構成された滑り止め部材１１８は、案内溝１１８ｃを貫通させたビス２０を側板１１４の取付孔１１４ｄに取り付けることにより、側板１１４の側面１１４ａに電子楽器１の前後方向へ移動可能に取り付けられている。
【００３４】
なお、滑り止め部材１１９については、滑り止め部材１１８と同様の構成を有しており、滑り止め部材１１８が側板１４の側面１１４ａの前部１１４ｂに設けられた取付孔１１４ｄに取り付けられているのに対して滑り止め部材１１９は側板１１４の側面１１４ａの後部１１４ｃに設けられた取付孔１１４ｄ（図示省略）に取り付けられているという具合に、その構成や側板１１４への取り付け方法は滑り止め部材１１８に対して前後対照であるので、ここでは詳細な説明は省略する。
【００３５】
このようにすれば、スタンド１０を持ち上げなくても、ビス２０を容易に緩めたり締めたりすることができ、滑り止め部材１１８，１１９の位置を容易に調整することができる。
【００３６】
（５）また、上記実施形態のスタンド１０において、滑り止め部材１８，１９を電子楽器１の前後方向へよりスムーズに移動させるため、側板１４の下面や側面に溝をその内部に向けて形成し、その溝の内部に滑り止め部材１８の一部を位置させるよう構成してもよい。このように構成しても上記実施形態と同様の作用効果を奏する。
【図面の簡単な説明】
【００３７】
【図１】実施例の電子楽器のスタンドを示す斜視図であり、その滑り止め部材が収納位置にあるところを示している。
【図２】（ａ）は収納位置にある滑り止め部材を示す斜視図であり、（ｂ）は突出位置にある滑り止め部材を示す斜視図であり、（ｃ）は側板および滑り止め部材を示す斜視図であり、（ｄ）は滑り止め部材のＡＡ断面図である。
【図３】（ａ）は収納位置にある別実施形態の滑り止め部材を示す斜視図であり、（ｂ）は突出位置にある別実施形態の滑り止め部材を示す斜視図であり、（ｃ）は別実施形態の側板および滑り止め部材を示す斜視図である。
【符号の説明】
【００３８】
１・・・電子楽器、１ａ・・・鍵盤、１０・・・スタンド、１２・・・背板、１４，１１４・・・側板、１４ａ，１１４ａ・・・側板の下面、１４ｂ，１１４ｂ・・・下面の前部、１４ｃ，１１４ｃ・・・下面の後部、１４ｄ，１１４ｄ・・・取付孔、１８，１９，１１８，１１９・・・滑り止め部材、１８ａ，１９ａ・・・滑り止め部材の下面、１８ｂ，１９ｂ・・・滑り止め部材の上面、１８ｃ，１９ｃ，１１８ｃ，１１９ｃ・・・案内溝、１８ｄ・・・下面側の開口部、１８ｅ・・・上面側の開口部、２０・・・ビス、２０ａ・・・頭部、２０ｂ・・・軸部、１１８ａ，１１９ａ・・・滑り止め部、１１８ｂ，１１９ｂ・・・取付部、１０００・・・床面
【図１】
2006184300.tif 000003
【図２】
2006184300.tif 000004
【図３】
2006184300.tif 000005